(57)【要約】人工透析装置の流路配管に付随する問題点を解決することを課題とし、具体的には小型で安価、かつ安全性の高い人工透析装置を提供することを課題とする。課題を解決するための手段は、ダイアライザー等の透析基本機器、並びに透析回路に設置されるバルブ等の流体制御機器を備えた人工透析装置において、それら各種機器を接続するポートを設けた流体通路ブロックを有し、該ブロック内部には前記ポート間での流体接続回路が形成された人工透析装置により課題を解決する。
2002083201.tif 000002
【特許請求の範囲】
【請求項１】
ダイアライザー、パイロジェンフィルター、透析液タンク等の透析基本機器、並びに透析回路に設置されるバルブ、流量計、圧力計等の流体制御機器を備えた人工透析装置において、それら各種機器を接続するポートを設けた流体通路ブロックを有し、該ブロック内部には前記ポート間での流体接続回路が形成されていることを特徴とする人工透析装置。
【請求項２】
前記流体通路ブロックが複数の板材から構成され、その個々の板材に溝や孔が設けられ、それら板材を重ね合わせることにより前記流体接続回路が構成されていることを特徴とする請求項１に記載の人工透析装置。
【請求項３】
前記流体通路ブロックが光造形方法により成形されたことを特徴とする請求項１に記載の人工透析装置。
【発明の詳細な説明】
技術分野
本発明は人工透析装置に関し、特に透析流体回路をマニホールド化することにより装置全体を小型で安価、かつ耐久性の高いものとし、在宅での使用を可能とする人工透析装置に関する。
背景技術
従来の人工透析装置は、ダイアライザー、パイロジェンフィルター、透析液タンク、ポンプ等の透析基本機器、並びに透析流体回路に設置されるバルブ、圧力計、流量計等の流体制御機器など、大小多数の構成要素から成り、それら機器がパイプで接続されている。
しかしながら、そのような従来の装置は、それを構成する各種機器の低コスト化を図ったとしても、それら機器同士のパイプ接続に多種類かつ多数の配管部品と多大の作業工数を要するため高価でかつ製造上の配管ミス、使用開始後の機能劣化が早まる可能性の多いものとならざるを得なかった。したがって、患者個人が当該装置を購入して在宅透析を行うことは、事実上困難あるいは多大の経済的負担を強いるという問題があった。
さらに、従来の装置は、上述したパイプ接続のための空間が必要であるため、装置全体が大型となり、移動させるのが困難であるばかりか、当該装置を患者の自宅に設置すること自体も困難であるという問題があった。
さらに、上記パイプは一般に合成樹脂パイプ等の非金属チューブが用いられていたため、劣化によるひび割れ等による故障が生じる恐れがあった。
本発明は、人工透析装置の流路配管に付随する上述した問題点を解決するものであり、小型で安価、かつ安全性の高い人工透析装置を提供することにより、在宅透析の実現を図ることを目的とする。
発明の開示
本発明においては上述した目的を、ダイアライザー、パイロジェンフィルター、透析液タンク等の透析基本機器、並びに透析回路に設置されるバルブ、流量計、圧力計・温度計等の流体制御機器を備えた人工透析装置において、それら各種機器を接続するポートを設けた流体通路ブロックを有し、該ブロック内部には前記ポート間での流体接続回路が形成されていることを特徴とする人工透析装置により達成する。
本発明によれば、人工透析装置の各種流体機器を接続するポートを設けた流体通路ブロックを設け、該ブロック内部には上記ポート間での流体接続回路が形成されているので、配管作業が大幅に軽減し、かつ上記配管のためのスペースも大幅に減少するため、安価かつ小型の人工透析装置を提供することができる。
さらに、流路のマニホールド化（流体通路ブロック）で配管が大幅に減少するため、従来のようなパイプのひび割れ等や接続部の取付不全、温度の上昇・下降の熱サイクルによるネジ部の緩み等による故障あるいはその確率を減少でき、安全性の高い装置とすることができる。
また、上記流体通路ブロックを複数の板材から構成し、その個々の板材に溝や孔を設け、それら板材を重ね合わせて上記流体接続回路を構成することにより、該ブロックを安価に製作することができる。また、光造型方法を用いて上記ブロックを製作すれば、複雑な流路や機器接続ポートを完全に一体で成形することができ、一層本発明の目的に沿う製造方法となる。
これらの特徴の結果、使用者にとって、人工透析装置は頑丈かつ使いやすいものとなり、過度の負担を強いることもなく、在宅透析の実現を可能にする。
発明を実施するための形態
以下、本発明の実施形態を図面に基づいて説明する。
図１は本発明の実施形態に関する人工透析機１の概略概念図である。図に示すように、人工透析装置１は、後述する流体通路ブロック２に各種透析基本機器が接続されている。ここでは、該ブロック２に接続される基本機器として、比較的容積の大きいダイアライザー３、パイロジェンフィルター４、ＲＯ膜５、透析液タンク６、透析液供給ポンプ７を示している。これら機器は、容積が大きいため、後述のブロック２に直接取付けることは困難であるため、図に示すように外部配管を介してブロック２に接続している。本件発明においては、そのような外部配管を用いず、ダイアライザー３等をブロック２に直接取り付けるようにしてよいことは勿論である。
上記流体通路ブロック２は、図１に示すように複数の板材２０１から構成されている。個々の板材２０１は、流体通路形成の説明概念図である図２および図３に示すように、溝２０２や孔２０３が機械加工によって設けられており、それら板材２０１を重ね合わせることにより流体通路２０４を形成している。流体通路ブロック２の外壁部には、透析回路に設置される流体制御機器として、各種の制御バルブ２１１やセンサー（圧力計、流量計等）２１２等をガスケットマウントするための取付け孔２０５が設けられている。各板材２０１同士は、その境界面にパッキンや漏れ防止樹脂を介して、ボルトなどの締結手段により一体化されている。流体通路ブロック２内の流体回路が複雑であっても、上述したような板材２０１を複数枚組み合わせて通路２０４を形成することにより、最良の流体回路を設計することができる。
次に、流体通路ブロック２内に形成される通路２０４並びに該ブロック２結合される機器等について、人工透析装置１の動作を説明しつつ説明する。
図１に示すように、水道水からの水が、フィルター８、ＲＯポンプ９、ＲＯ膜５を介して流体通路路ブロック２に供給される。ここで、上記フィルター８は、水の不純物を除去するためのフィルターである。フィルター８を出た水はＲＯポンプ９で加圧され、ＲＯ膜５を通すことにより精製水となって、外部配管によりブロック２に供給される。ブロック２に供給された精製水は、ブロック内通路２０４を通って透析液タンク６へと導かれる。また、ＲＯ膜５及び透析液タンク６が無くても透析液を供給する方法もある。このとき精製水を殺菌するための紫外線殺菌装置等（図示せず）がブロック２への導入部分もしくはブロック２から透析液タンク６への導入部分に装着される。タンク６内では前記精製水と薬品とが混合され透析液が作られる。該透析液はブロック２へ導出され、さらにブロック２内の流体流通２０４を通って、発熱物質を除去するためのパイロジェンフィルター４へと導かれる。パイロジェンフィルター４を通った透析液は再びブロック２内に導かれブロック内の通路２０４を通ってダイアライザー３へと運ばれる。ダイアライザー３を通した透析液は再びブロック２内に戻りブロック内通路２０４を通って透析液タンク６に戻され、再び同じサイクルで循環する。
以上の説明は、理解を容易にするため、流体の回路を概括的に説明したものであるが、実際には、流体通路ブロック２内に上述のバルブ２１１やセンサー２１２と関連する種々の制御回路や安全回路などが組み込まれる。これら回路はブロック２内の通路２０４により形成され、該通路２０４には、制御バルブ２１１やセンサー２１２等が、ブロック２に設けた取付け孔２０５を介して接続されている。また、その他、血液ポンプ等、説明を省略した比較的大きな機器が、流体通路ブロック２上に、あるいは該ブロック２とは別置きで設けられ、これらもブロック２内の通路２０４と必要な接続が行われる。なお、マニホールド加工した流体通路ブロック２は適時設計や配管の都合により複数に分割して構成してもよい。例えばダイアライザー３等を直接的に接続して血液回路を構成するようにした血液回路ブロック部、パイロジェンフィルタ３等を直接的に接続して透析液供給回路を構成するようにした透析液供給回路ブロック部、およびＲＯ膜５等を直接的に接続して水道処理回路を構成するようにした水処理ブロック部の３つのブロック分けて構成し、それらブロック間で必要な外部配管を行うようにしてもよい。
産業上の利用可能性
本発明による人工透析機は、流体通路を流体通路ブロック内で形成することを主な特徴とし、これにより全体的にコンパクトで、従来のチューブ等で配管をしていたものと比べて組立部品点数を少なくでき流体の漏れ等の機械的な故障が起きる危険性を減らし、部品点数が多いことによる複雑な配管組立を間違える等のミスを大きく減らすことができる。さらに使用後のメンテナンスも配管が簡素化していることにより効率的に行うことができ、製造コストも使用時のメンテナンスコストも大幅に削減することができる。従って、安くて安全性の高い在宅用（個人用）人工透析機を製造することが可能になり、これまで多くの時間を割いて遠隔地の人工透析用の医療施設まで行かなければならなかった患者の負担も減らすことができるようになる。
【図面の簡単な説明】
第１図は、本発明の実施形態に係わる人工透析装置の概略概念図である。
第２図は、第１図の流体通路ブロックを構成する板材の通路形成面の概念図である。
第３図は、第１図の流体通路ブロックの部分断面の概念図である。
【図１】
2002083201.tif 000003
【図２】
2002083201.tif 000004
【図３】
2002083201.tif 000005
【国際調査報告】
2002083201.tif 000006
2002083201.tif 000007